(57)【要約】【課題】ホールの営業時間中などの通常時に制御基板を取外しできないようにする。【解決手段】基板取付けベース４０の下部背面側に設けられたメイン基板取付け面の挿入孔にメイン制御基板ケース２７の係止用レバーを挿入・回転して係止状態とすることによりメイン制御基板ケース２７を横長に装着する。基板取付けベース４０は、遊技盤３０の左縁や右縁を正面および背面から挟み込むように断面コの字型に形成された嵌合部４０ａ，４０ｂを左右両側に有し、この基板取付けベース４０を遊技盤３０の下方向から上方向へスライドさせて遊技盤３０へ装着すると共にこの遊技盤３０をパチンコ機の前面枠の背面側に嵌め込む。こうすることにより、遊技盤３０を前面枠から取外さないとメイン制御基板ケース２７を取外すことができないから、ホールの営業時間中などの通常時にメイン制御基板ケース２７を取外しできないようにすることができる。【選択図】     図５
2010279785.tif 000002
【特許請求の範囲】
【請求項１】
遊技球を用いて所定の遊技を行なう遊技機であって、
前記遊技機の枠体に装着される遊技盤と、
前記遊技盤が前記枠体に装着された状態では該遊技盤から取外し不能となるように該遊技盤の背面側に取付けられる基板取付けベースと、
前記所定の遊技の進行を制御する制御基板を収納し、前記基板取付けベースが前記遊技盤に取付けられた状態では該基板取付けベースから取外し不能となるように該基板取付けベースに取付けられる基板ケースと、
を備える遊技機。
【発明の詳細な説明】
【技術分野】
【０００１】
本発明は、遊技機に関する。
【背景技術】
【０００２】
従来、この種の遊技機としては、制御基板を収納した基板ボックスを取付台を介して遊技盤の裏面に取り付けるパチンコ機などが提案されている（例えば、特許文献１参照）。このパチンコ機では、取付台を遊技盤の裏面に開閉可能に取り付け、この取付台の基板搭載面に設けられた貫通孔に基板ボックスの係止具を挿通させると共にこの係止具をロック位置まで回動させることにより、基板ボックスを取付台に取り付けている。
【先行技術文献】
【特許文献】
【０００３】
【特許文献１】特開２００４−２７５６２８号公報
【発明の概要】
【発明が解決しようとする課題】
【０００４】
上述のパチンコ機では、取付台を開放して基板ボックスの係止具をロック位置から解除することにより、比較的容易に基板ボックスをパチンコ機から取外すことができてしまう。しかしながら、所謂「不正ＲＯＭ」などへの交換や不正ＲＯＭの作成を目的とした盗難などを考慮すると、少なくともホールの営業時間中などにおいては基板ボックスを容易に取外すことができない方が好ましい。
【０００５】
本発明の遊技機は、ホールの営業時間中などの通常時に制御基板を取外しできないようにすることを目的の一つとする。また、本発明の遊技機は、制御基板の不正品への交換や盗難などを防止することを目的の一つとする。
【課題を解決するための手段】
【０００６】
本発明の遊技機は、上述の目的の少なくとも一部を達成するために以下の手段を採った。
【０００７】
手段１．本発明の遊技機は、
遊技球を用いて所定の遊技を行なう遊技機であって、
前記遊技機の枠体に装着される遊技盤と、
前記遊技盤が前記枠体に装着された状態では該遊技盤から取外し不能となるように該遊技盤の背面側に取付けられる基板取付けベースと、
前記所定の遊技の進行を制御する制御基板を収納し、前記基板取付けベースが前記遊技盤に取付けられた状態では該基板取付けベースから取外し不能となるように該基板取付けベースに取付けられる基板ケースと、
を備えることを要旨とする。
【０００８】
この本発明の遊技機では、遊技盤が枠体に装着された状態では取外しできないように基板取付けベースを遊技盤に取付け、この基板取付けベースが遊技盤に取付けられた状態では取外しできないように基板ケースを基板取付けベースに取付ける。したがって、基板ケースを取外すには、遊技盤を枠体から取外してから基板取付けベースを遊技盤から取外さなければならないから、ホールの営業時間中などの通常時における基板ケースの取外しを極めて困難なものとすることができる。この結果、制御基板の不正品への交換や盗難などをより適切に防止することができる。
【０００９】
手段２．手段１記載の遊技機であって、前記遊技盤は前記枠体に設けられた装着枠に嵌め込まれて該枠体に装着され、前記基板取付けベースは前記遊技盤の上下左右各縁のいずれかと嵌合する少なくとも一つの嵌合部を有し該嵌合部を該遊技盤の上下左右各縁のいずれかと嵌合させることにより該遊技盤に取り付けられる遊技機。こうすれば、基板取付けベースの嵌合部が遊技盤の上下左右各縁のいずれかと嵌合した状態で遊技盤を枠体の装着枠に嵌め込むことにより、遊技盤が枠体に装着された状態では基板取付けベースを取外しできないようにすることができる。
【００１０】
手段３．手段２記載の遊技機であって、前記基板取付けベースの嵌合部は、前記遊技盤の上下左右各縁のいずれかを正面および背面から挟み込むように断面コの字型に形成されてなる遊技機。
【００１１】
手段４．手段２または３記載の遊技機であって、前記基板取付けベースの嵌合部は、前記遊技盤の上下左右各縁のいずれかと嵌合する部分の長さが該遊技盤の各縁の長さを基準とした所定の長さ以上となるように形成されてなる遊技機。こうすれば、基板取付けベースの嵌合部の長さを所定の長さ以上とすることにより、基板取付けベースをより確実に遊技盤に取付けると共に遊技盤の盤面の反りを防止することができる。ここで「遊技盤の各縁の長さを基準とした所定の長さ」としては、例えば、遊技盤の各縁の長さと同等の長さや２分の１の長さ，４分の３の長さなどを挙げることができ、具体的には、３０〜５０ｃｍなどを挙げることができる。この場合、前記基板取付けベースを金属性の材料により形成するものとすれば、遊技盤の盤面の反りをより効果的に防止することができる。
【００１２】
手段５．手段２ないし４いずれか記載の遊技機であって、前記基板取付けベースの嵌合部は、前記遊技盤の左縁と嵌合する左側嵌合部と前記遊技盤の右縁と嵌合する右側嵌合部とからなる遊技機。
【００１３】
手段６．手段２ないし５いずれか記載の遊技機であって、前記基板取付けベースおよび前記遊技盤は、該基板取付けベースの嵌合部と該遊技盤の上下左右各縁のいずれかとを嵌合したときに該嵌合部と該遊技盤との間に段差が生じないように形成されてなる遊技機。こうすれば、遊技盤を枠体の装着枠に嵌め込む際などに都合がよいものとすることができる。
【００１４】
手段７．手段１ないし６いずれか記載の遊技機であって、前記基板取付けベースは、前記遊技盤の背面側に配置される各種部材の配置スペースを迂回するように形成されてなる遊技機。こうすれば、各種部材を良好に配置することができる。ここで「各種部材」としては、遊技盤からの入賞球（セーフ球）を外部に導くセーフ球集合盤や遊技球を供給するための払出機構，アタッカー，図柄変動表示装置などを挙げることができる。
【００１５】
手段８．手段１ないし７いずれか記載の遊技機であって、前記基板取付けベースは、該基板取付けベースの底部を覆う底板に、前記遊技盤からの遊技球を排出する排出孔が形成されてなる遊技機。こうすれば、遊技球を排出する経路を確保することができる。
【００１６】
手段９．手段１ないし８いずれか記載の遊技機であって、前記基板ケースは、該基板ケースを前記基板取付けベースに取付けるための係止部材を有し、前記基板取付けベースに設けられた挿入孔に該係止部材を外側から挿入すると共に内側で該係止部材を係止状態とすることにより該基板取付けベースに取付けられる遊技機。
【００１７】
手段１０．手段１ないし９いずれか記載の遊技機であって、前記遊技機はパチンコ機である遊技機。パチンコ機の基本構成としては、操作ハンドルを備えておりそのハンドル操作に応じて遊技球を所定の遊技領域に発射させ、遊技球が遊技領域内の所定の位置に配置された作動口に入賞することを必要条件として表示手段における識別要素の変動表示が開始すること、また、特別遊技状態発生中には遊技領域内の所定の位置に配置された入賞口が所定の態様で開放されて遊技球を入賞可能として、その入賞個数に応じた有価価値（景品球のみならず、磁気カードへの書き込み等も含む）が付与されること等が挙げられる。なお、こうしたパチンコ機には、少なくとも多数個の遊技球を取得できる遊技者に有利な状態である特別遊技状態（大当り状態）と、遊技球を消費する遊技者に不利な状態である通常遊技状態とが存在するものとすることもできる。
【００１８】
手段１１．手段１ないし９いずれか記載の遊技機であって、前記遊技機はパチンコ機とスロットマシンとを融合させてなる遊技機。このパチンコ機とスロットマシンとを融合させた遊技機の基本構成としては、「遊技状態に応じてその遊技状態を識別させるための複数の識別要素からなる識別要素列を変動表示した後に識別要素を確定表示する表示手段と、作動用操作手段（例えば操作レバー）の操作に起因して識別要素の変動が開始され、停止用操作手段（例えばストップボタン）の操作に起因してあるいは所定時間経過することにより識別要素の変動が停止され、その停止時の確定識別要素が特定識別要素であることを必要条件として遊技者に有利な特別遊技状態を発生させる特別遊技状態発生手段とを備え、遊技媒体として遊技球を使用すると共に識別要素の変動開始に際しては所定数の遊技球を必要とし、特別遊技状態の発生に際しては多くの遊技球が払い出されるよう構成されてなる遊技機」を挙げることができる。こうした遊技機には、少なくとも多数個の遊技球を取得できる遊技者に有利な状態である特別遊技状態（大当り状態）と、遊技球を消費する遊技者に不利な状態である通常遊技状態の２種類の遊技状態とが存在するものとすることもできる。
【００１９】
手段１０または１１に記載したように、本発明の遊技機としては、パチンコ機やパチンコ機とスロットマシンとを融合させてなる遊技機などを挙げることができるが、この他、種々の遊技機に適用することもできる。
【発明の効果】
【００２０】
本発明によれば、制御基板の不正品への交換や盗難などをより適切に防止することができる。
【図面の簡単な説明】
【００２１】
【図１】本発明の一実施例としてのパチンコ機２０の外観を示す斜視図である。
【図２】パチンコ機２０の前面枠２２およびカバーユニット３５を開いた状態の斜視図である。
【図３】メイン制御基板７０を中心としたパチンコ機２０の電気的接続を例示するブロック図である。
【図４】メイン制御基板ケース２７などが装着された基板取付けベース４０が遊技盤３０に取付けられている状態を示す斜視図である。
【図５】基板取付けベース４０が遊技盤３０から取外されている状態を示す斜視図である。
【図６】基板取付けベース４０の外観を示す斜視図である。
【図７】基板取付けベース４０の外観を示す斜視図である。
【図８】メイン制御基板ケース２７の外観を示す斜視図である。
【図９】メイン制御基板ケース２７が基板取付けベース４０に取付けられる様子を示す斜視図である。
【発明を実施するための形態】
【００２２】
次に、本発明を実施するための最良の形態を実施例を用いて説明する。
【００２３】
図１は本発明の一実施例としてのパチンコ機２０の外観を示す斜視図であり、図２はパチンコ機２０の前面枠２２およびカバーユニット３５を開いた状態の斜視図である。実施例のパチンコ機２０は、図１に示すように、複数のパチンコ機が並設されるパチンコ島に固定される外枠２１と、外枠２１にヒンジ２３を介して開閉自在に取付けられた前面枠２２とにより構成されている。パチンコ機２０の背面側には、上部に配置され遊技球を貯留する貯留タンク２４や略中央部に配置されたカバー部材２５，右側中央部に配置され貯留タンク２４から供給される遊技球を払い出す払出装置２６，カバー部材２５の下側に配置されパチンコ機２０全体を制御するメイン制御基板７０を収納したメイン制御基板ケース２７，右下部に配置され払出装置２６を制御する払出制御基板を収納した払出制御基板ケース２８，左下部に配置され遊技球を発射させるステップモータ２９などを備える。
【００２４】
カバーユニット３５は、図２に示すように、貯留タンク２４やカバー部材２５，払出装置２６などが一体となって形成されたものであり、前面枠２２の背面右端を軸として回動可能に設置されている。また、前面枠２２の背面側装着枠には遊技盤３０が嵌め込まれており、この遊技盤３０の中央部には特別図柄表示装置３１が設置され、特別図柄表示装置３１の背面左側にはこの特別図柄表示装置３１や各種ランプの表示制御，スピーカの音声制御などを行なうサブ制御基板を収納したサブ制御基板ケース３２が配置されている。通常は、特別図柄表示装置３１やサブ制御基板ケース３２は、カバー部材２５により覆われている（図１参照）。
【００２５】
図３は、メイン制御基板ケース２７に収納されたメイン制御基板７０を中心としたパチンコ機２０の電気的接続を例示するブロック図である。メイン制御基板７０は、図示するように、ＣＰＵ７２を中心とするマイクロコンピュータとして構成されており、ＣＰＵ７２には電源を供給する電源回路７３の他に、処理プログラムを記憶するＲＯＭ７４や一時的にデータを記憶するＲＡＭ７６，所定周波数の矩形波を出力するクロック回路７８，入出力処理回路８０がバス８２によって接続されている。メイン制御基板７０には、普通図柄始動口スイッチ８７からの入賞信号や特別図柄始動口スイッチ８８からの始動信号，１０カウントスイッチ８９からのカウント信号，Ｖカウントスイッチ９０からのＶ信号，普通入賞スイッチや賞球カウントスイッチなどの他の入出力装置９４からの入力信号などが入出力処理回路８０を介して入力されている。また、メイン制御基板７０からは、普通図柄表示装置８３への駆動信号や大入賞口駆動装置８４への駆動信号，各種ランプ・インジケータ８５への点灯信号，普通電動役物８６への駆動信号，スピーカ９２が接続された音声用制御装置９１への制御信号，特別図柄表示装置３１の表示制御を司る表示用制御装置９３への制御信号，払出装置２６などの他の入出力装置８８への駆動信号などが入出力処理回路８０を介して出力されている。このメイン制御基板７０では、ＲＯＭ７４に記憶されている処理プログラムをＣＰＵ７２で実行することにより、特別図柄始動口スイッチ８８から始動信号が入力されたときに予め定められた当たり確率（例えば、１／３１５）に従って大当たりを判定したり、大当たりと判定されたときに大入賞口駆動装置８４へ駆動信号を出力して大入賞口を開放したりする。なお、こうしたパチンコ機２０の電気的接続は、一般のパチンコ機と同様であり、本発明の中核をなさないから、これ以上の詳細な説明は省略する。
【００２６】
次に、メイン制御基板ケース２７をパチンコ機２０へ取付ける際の取付け構造について説明する。メイン制御基板ケース２７は、基板取付けベース４０を介して遊技盤３０の背面に取付けられている。図４はメイン制御基板ケース２７などが装着された基板取付けベース４０が遊技盤３０に取付けられている状態を示す斜視図であり、図５は基板取付けベース４０が遊技盤３０から取外されている状態を示す斜視図である。図４，５に示すように、基板取付けベース４０は、略Ｕの字型に形成されており、遊技盤３０の左右両縁と嵌合する嵌合部４０ａ，４０ｂを左右両側に有し、下部背面側にメイン制御基板ケース２７が横長に装着され、左部背面側にサブ制御基板ケース３２が縦長に装着されている。嵌合部４０ａ，４０ｂは、遊技盤３０の左縁や右縁を正面および背面から挟み込むように断面コの字型に形成されると共に遊技盤３０の縦方向長さの約４分の３の長さ（例えば、３０〜５０ｃｍ）で形成されており、基板取付けベース４０を遊技盤３０へ装着する際には、下方向から上方向へ基板取付けベース４０をスライドさせて嵌合部４０ａ，４０ｂを遊技盤３０の左右両縁に嵌合させる。ここで、遊技盤３０の左右両縁のうち、基板取付けベース４０の嵌合部４０ａ，４０ｂが嵌合する部分は、嵌合部４０ａ，４０ｂの厚みに相当する深さ分が削り取られた段部３０ａ，３０ｂが形成されており、この段部３０ａ，３０ｂと嵌合部４０ａ，４０ｂとが嵌合することにより、基板取付けベース４０を装着したときに遊技盤３０と基板取付けベース４０との間で段差が生じないようになっている。
【００２７】
図６，７は、メイン制御基板ケース２７やサブ制御基板ケース３２が取外された状態の基板取付けベース４０の外観を示す斜視図である。基板取付けベース４０は、ポリカーボネート樹脂により成形されており、図示するように、下部背面側に設けられメイン制御基板ケース２７を横長に配置するためのメイン基板取付け面４１と、メイン基板取付け面４１の左側に設けられサブ制御基板ケース３２を縦長に配置するためのサブ基板取付け面４２と、メイン基板取付け面４１の右側に設けられた板状部４３と、メイン基板取付け面４１の裏側に設けられ背面方向に突出する突出部４４と、この突出部４４の上方でサブ基板取付け面４２と板状部４３との間に位置する開放部４５と、底部を覆う底板部４６とを備える。メイン基板取付け面４１の左右下隅には、メイン制御基板ケース２７を取付けるための一対の挿入孔４１ａが形成されている。また、底板部４６の略中央には、遊技盤３０からのセーフ球（入賞球）やいずれの入賞口にも入らなかったアウト球を外側へ排出するための排出孔４７が形成されている。ここで、板状部４３や突出部４４，開放部４５は、遊技盤３０の背面側に配置される各種部材の配置スペースを迂回するように形成されたものである。即ち、板状部４３の背面側には払出装置２６や払出球の流路などの払出機構が配置され（図１参照）、突出部４４には遊技盤３０の下方に設けられた大入賞口や遊技盤３０からのセーフ球を誘導する集合盤などが配置され、開放部４５には特別図柄表示装置３１の後方部が配置されるようになっている（図３参照）。
【００２８】
図８は、メイン制御基板ケース２７の外観を示す斜視図である。メイン制御基板ケース２７の片面（メイン制御基板７０を収納する側とは反対の面）の下部には、図示するように、一対の係止用レバー２７ａが設けられており、この係止用レバー２７ａを基板取付けベース４０のメイン基板取付け面４１の挿入孔４１ａに挿入すると共に略９０度回転させて係止状態とすることにより、メイン制御基板ケース２７が基板取付けベース４０に取付けられるようになっている（図９参照）。
【００２９】
ここで、こうしてパチンコ機２０へ取付けられたメイン制御基板ケース２７をパチンコ機２０から取外す場合を考える。メイン制御基板ケース２７を取外すには、カバーユニット３５を開放させて遊技盤３０を前面枠２２から取外し、この遊技盤３０から基板取付けベース４０を下方向へスライドさせて取外し、取外した基板取付けベース４０に取付けられているメイン制御基板ケース２７の係止用レバー２７ａを回転させて開放状態として基板取付けベース４０からメイン制御基板ケース２７を取外すことになる。即ち、前面枠２２から遊技盤３０を取外さないとメイン制御基板ケース２７を取外すことができないから、ホールの営業時間中などにおいてはメイン制御基板ケース２７を取外すことは実質的に不可能となるのである。
【００３０】
以上説明した実施例のパチンコ機２０によれば、遊技盤３０が前面枠２２に装着された状態では基板取付けベース４０は取外すことができず、この基板取付けベース４０が遊技盤３０に取付けられた状態ではメイン制御基板ケース２７は取外すことができないようになっている。したがって、メイン制御基板ケース２７を取外すには、遊技盤３０を前面枠２２から取外してから基板取付けベース４０を遊技盤３０から取外さなければならないから、ホールの営業時間中などの通常時におけるメイン制御基板ケース２７の取外しを極めて困難なものとすることができる。この結果、メイン制御基板７０の不正品への交換や盗難などをより適切に防止することができる。
【００３１】
また、実施例のパチンコ機２０によれば、基板取付けベース４０の嵌合部４０ａ，４０ｂを遊技盤３０の縦方向長さの約４分の３の長さで形成するから、基板取付けベース４０をより確実に遊技盤３０に取付けると共に遊技盤３０の盤面の反りを防止することができる。
【００３２】
実施例のパチンコ機２０では、基板取付けベース４０の嵌合部４０ａ，４０ｂは、遊技盤３０の縦方向長さの約４分の３の長さで形成されるものとしたが、これに限られないのは勿論であり、遊技盤３０の縦方向の長さと略同一の長さや半分の長さ、これより短い長さとしても差し支えない。
【００３３】
実施例のパチンコ機２０では、遊技盤３０の左右両縁のうち基板取付けベース４０の嵌合部４０ａ，４０ｂが嵌合する部分に、嵌合部４０ａ，４０ｂの厚みに相当する深さ分が削り取られた段部３０ａ，３０ｂを形成するものとしたが、こうした段部３０ａ，３０ｂを形成しないものとしても差し支えない。
【００３４】
実施例のパチンコ機２０では、基板取付けベース４０はポリカーボネート樹脂により成形されるものとしたが、これに限られず、例えば、金属性の材料により成形されるものとしてもよい。こうすれば、より一層、遊技盤３０の盤面の反りを防止することができる。
【００３５】
実施例のパチンコ機２０では、前面枠２２の背面側装着枠に遊技盤３０が嵌め込まれるものとしたが、前面枠２２の装着枠に遊技盤３０が嵌め込まれるものであればよく、例えば、前面枠２２の正面側装着枠に遊技盤３０を嵌め込むものとしても構わないのは勿論である。
【００３６】
実施例のパチンコ機２０では、基板取付けベース４０の嵌合部４０ａ，４０ｂは、遊技盤３０の左縁や右縁を正面および背面から挟み込むように断面コの字型に形成されるものとしたが、遊技盤３０の左縁や右縁と嵌合することができればよく、必ずしも断面コの字型とする必要はない。また、遊技盤３０の左縁と右縁でなくても、上縁や下縁と嵌合するものや、これらのうちいずれか一つまたは複数の縁と嵌合するものであっても構わない。さらに、遊技盤３０が前面枠２２に装着された状態では遊技盤３０から取外すことができないように基板取付けベース４０を取付けることができればよいから、その他の構造を用いて遊技盤３０に基板取付けベース４０を取付けるものとしても差し支えない。
【００３７】
以上、本発明を実施するための最良の形態について実施例を用いて説明したが、本発明はこうした実施例に何等限定されるものではなく、本発明の要旨を逸脱しない範囲内において、種々なる形態で実施し得ることは勿論である。
【符号の説明】
【００３８】
２０ パチンコ機、２１ 外枠、２２ 前面枠、２３ ヒンジ、２４ 貯留タンク、２５ カバー部材、２６ 払出装置、２７ メイン制御基板ケース、２７ａ 係止用レバー、２８ 払出制御基板ケース、２９ ステップモータ、３０ 遊技盤、３０ａ，３０ｂ 段部、３１ 特別図柄表示装置、３２ サブ制御基板ケース、３５ カバーユニット、４０ 基板取付けベース、４０ａ，４０ｂ 嵌合部、４１ メイン基板取付け面、４１ａ 挿入孔、４２ サブ基板取付け面、４３ 板状部、４４ 突出部、４５ 開放部、４６ 底板部、４７ 排出孔、７０ メイン制御基板、７２ ＣＰＵ、７４ ＲＯＭ、７６ ＲＡＭ、７８ クロック回路、８０ 入出力処理回路、８２ バス、８３ 普通図柄表示装置、８４ 大入賞口駆動装置、８５ 各種ランプ・インジケータ、８６ 普通電動役物、８７ 普通図柄始動口スイッチ、８８ 特別図柄始動口スイッチ、８９ １０カウントスイッチ、９０ Ｖカウントスイッチ、９１ 音声用制御装置、９２ スピーカ、９３ 表示用制御装置、９４ 他の入出力装置。
【図１】
2010279785.tif 000003
【図２】
2010279785.tif 000004
【図３】
2010279785.tif 000005
【図４】
2010279785.tif 000006
【図５】
2010279785.tif 000007
【図６】
2010279785.tif 000008
【図７】
2010279785.tif 000009
【図８】
2010279785.tif 000010
【図９】
2010279785.tif 000011